(57)【要約】【課題】いくつにも重ねた状態のトレーを下から順に一つずつ確実に抜き落とすことで作業効率を向上することができるトレーの抜き落とし装置を提供する。【解決手段】互いに重ねた状態のトレーＰを上方から投入するためのホッパー部１と、ホッパー部１内の最下部側に位置するトレーＰの底部下面を支えると共に、トレーＰを下方に引き抜き可能とするようホッパー部１の下部側において左右両側に配した引き落とし機構部１１と、最下部側のトレーＰと直上のトレーＰとのそれぞれの上側開口縁部間において、前記引き落とし機構部１１と干渉しないようにして進入退避可能となるようホッパー部１の左右両側に配した支持機構部２１とを備える。【選択図】図２
2008230682.tif 000002
【特許請求の範囲】
【請求項１】
互いに重ねられた状態のトレーを上方から投入するためのホッパー部と、ホッパー部内の最下部側に位置するトレーの底部下面を支えると共に、トレーを下方に引き抜き可能とするようホッパー部の下部側において左右両側に配した引き落とし機構部と、最下部側のトレーと直上のトレーとのそれぞれの上側開口縁部間において、前記引き落とし機構部と干渉しないようにして進入退避可能となるようホッパー部の左右両側に配した支持機構部とを備えたことを特徴とするトレーの抜き落とし装置。
【請求項２】
トレーの横幅員に応じてホッパー部の左右間隔の調整を行うための間隔調整ハンドルを備えてなる請求項１記載のトレーの抜き落とし装置。
【請求項３】
引き落とし機構部は、トレー内の最下部のトレー底部下面を支えるＬ字状の支持枠体と、当該トレーを下方に引き抜くための爪部を突設した引き抜き部とを備え、支持枠体および引き抜き部それぞれは共に一体となって回動可能としてある請求項１または２記載のトレーの抜き落とし装置。
【請求項４】
支持機構部は、電磁クラッチ機構部に連繋されたＬ字状の支持枠体を備え、電磁クラッチ機構部の電磁駆動によって支持枠体の他端側が、最下部側のトレーと直上のトレーとのそれぞれの上側開口縁部間に対し、進入乃至退避可能にしてある請求項１乃至３のいずれかに記載のトレーの抜き落とし装置。
【発明の詳細な説明】
【技術分野】
【０００１】
本発明は、例えば餃子・シュウマイ等の種々の冷凍食品を収納するためのトレーの抜き落とし装置に関する。
【背景技術】
【０００２】
従来から、種々の冷凍食品を収納するためのトレーは、いくつにも互いに重ねられた状態で冷凍食品製造工場に搬送され、そこでトレーを手作業で上から順に抜いて搬送コンベアに載せられるのであった。
【特許文献１】特になし
【発明の開示】
【発明が解決しようとする課題】
【０００３】
しかしながら、従来においては、トレーの抜き取りを手作業で行っていたため、作業効率が低下するという問題点を有していた。
【０００４】
そこで、本発明は、叙上のような従来存した諸事情に鑑み案出されたもので、いくつにも互いに重ねられた状態のトレーを下から順に一つずつ確実に抜き落とすことで作業効率を向上することができるトレーの抜き落とし装置を提供することを目的とする。
【課題を解決するための手段】
【０００５】
上述した課題を解決するため、本発明にあっては、互いに重ねられた状態のトレーを上方から投入するためのホッパー部と、ホッパー部内の最下部側に位置するトレーの底部下面を支えると共に、トレーを下方に引き抜き可能とするようホッパー部の下部側において左右両側に配した引き落とし機構部と、最下部側のトレーと直上のトレーとのそれぞれの上側開口縁部間において、前記引き落とし機構部と干渉しないようにして進入退避可能となるようホッパー部の左右両側に配した支持機構部とを備えたことを特徴とする。
【０００６】
トレーの横幅員に応じてホッパー部の左右間隔の調整を行うための間隔調整ハンドルを備えている。
【０００７】
引き落とし機構部は、トレー内の最下部のトレー底部下面を支えるＬ字状の支持枠体と、当該トレーを下方に引き抜くための爪部を突設した引き抜き部とを備え、支持枠体および引き抜き部それぞれは共に一体となって回動可能としてある。
【０００８】
支持機構部は、電磁クラッチ機構部に連繋されたＬ字状の支持枠体を備え、電磁クラッチ機構部の電磁駆動によって支持枠体の他端側が、最下部側のトレーと直上のトレーとのそれぞれの上側開口縁部間に対し、進入乃至退避可能にしてある。
【発明の効果】
【０００９】
本発明によれば、いくつにも互いに重ねられた状態のトレーを下から順に一つずつ確実に、且つ横幅員の異なるトレーであっても一台の装置をもって抜き落とすことができ、これによって作業効率を向上することができる
【発明を実施するための最良の形態】
【００１０】
以下、図面を参照して本発明を実施するための最良の一形態を説明する。
本発明に係るトレーの抜き落とし装置は、図１および図２に示すように、いくつにも互いに重ねられた状態のトレーＰを上方から投入するためのホッパー部１と、トレーＰの横幅員に応じてホッパー部１の左右間隔の調整を行うための間隔調整ハンドル２と、ホッパー部１内の最下部側に位置するトレーＰの底部下面を支えると共に、該トレーＰを下方に引き抜き可能とするようホッパー部１の下部側において左右両側に配した引き落とし機構部１１と、最下部側のトレーＰと直上のトレーＰとのそれぞれの上側開口縁部間において、前記引き落とし機構部１１と干渉しないようにして進入退避可能となるようホッパー部１の左右両側に配した支持機構部２１とから概ね構成されている。
【００１１】
ホッパー部１は、図１および図２に示すように、トレーＰの幅員に対応して配された略コ字枠状の左右前後に各一対のガイド枠３を備えなり、一方のガイド枠３の下側が前後上下対称位置に配した４本のガイド棒４の端部に固着され、他方のガイド枠３の下側がこのガイド棒４にスライド可能に装着されている。また、他方のガイド枠３の下側には、ネジ孔７を有するブラケット５を一体に設け、装置の端部に回転可能に配された間隔調整ハンドル２の回転軸先端側に形成されたネジ棒６をこのネジ孔７に螺合させてある。こうして、間隔調整ハンドル２を正逆回転することにより、ブラケット５を介して他方のガイド枠３をガイド棒４に沿って左右方向にスライドする。
【００１２】
引き落とし機構部１１は、図３および図４に示すように、トレーＰ内の最下部のトレーＰ底部下面を支えるＬ字状の支持枠体１２の上端中央に形成した凹所１３に、当該トレーＰを下方に引き抜くための斜め方向に爪部１４を突設した引き抜き部１５を備え、支持枠体１２および引き抜き部１５それぞれは当該引き抜き部１５の回転軸１６を介して共に一体となって回動できるようにしてある。すなわち、支持枠体１２によってトレーＰ底部下面を支えている状態から、引き抜き部１５が支持枠体１２と共に時計方向に回転すると、トレーＰ底部下面が支持枠体１２から解放されると同時に引き抜き部１５の爪部１４が同軸回転してトレーＰ開口縁部を下方に押圧することでトレーＰが下方に引き抜かれることとなる。
【００１３】
支持機構部２１は、図３および図４に示すように、上方に配置されたＬ字状の支持枠体２２の一端側が電磁クラッチ機構部２３に連繋され、当該電磁クラッチ機構部２３の電磁駆動によって支持枠体２２の他端側が、最下部側のトレーＰと直上のトレーＰとのそれぞれの上側開口縁部間に進入したり、後方に退避したりできるようにしてある。このとき、支持機構部２１の支持枠体２２は、引き落とし機構部１１の引き抜き部１５と干渉しないように前後スライドできるようにしてある。
【００１４】
次に、以上のように構成された最良の形態についての使用、動作の一例について説明する。
先ず、間隔調整ハンドル２によってトレーＰの横幅員に応じてホッパー部１の左右間隔の調整を行った後、ホッパー部１内に、互いに重ねられた状態のトレーＰを投入する。最初は、引き落とし機構部１１の支持枠部１２は、ホッパー部１内における最下部のトレーＰ底部下面を支持している。このとき、引き抜き部１５の爪部１４は、最下部のトレーＰ上側開口縁部から解離している。同時に支持機構部２１の支持枠体２２の他端側は、電磁クラッチ機構部２３の電磁駆動によって、最下部側のトレーＰと直上のトレーＰとのそれぞれの上側開口縁部間から後方に退避している。
【００１５】
図５（ａ）に示すように、支持機構部２１の支持枠体２２の他端側が、電磁クラッチ機構部２３の電磁駆動によって、最下部側のトレーＰと直上のトレーＰとのそれぞれの上側開口縁部間に進入する。
【００１６】
そして、図５（ｂ）に示すように、引き落とし機構部１１の引き抜き部１５が支持枠体１２と共に正回転方向に回転し、トレーＰ底部下面が支持枠体１２から解放されると同時に引き抜き部１５の爪部１４が時計方向に同軸回転してトレーＰ開口縁部を下方に押圧することでトレーＰが下方に引き抜かれ、これによって当該トレーＰは、不図示の例えば搬送コンベア上等に載せられる。このとき、支持機構部２１の支持枠体２２によって、直上のトレーＰが支持されているため当該直上のトレーＰは下方に落下しない。
【００１７】
次いで、図５（ｃ）に示すように、引き落とし機構部１１の引き抜き部１５が支持枠体１２と共に逆回転方向に回転する。そして、支持機構部２１の支持枠体２２の他端側を、電磁クラッチ機構部２３の電磁駆動によって後方に退避させれば、直上のトレーＰが下方に移動して、トレーＰ底部下面が引き落とし機構部１１の支持枠体１２によって支持される。以後はこの動作が繰り返されることで、ホッパー部１内からトレーＰが一つずつ確実に引き落とされる。
【図面の簡単な説明】
【００１８】
【図１】本発明を実施するための最良の形態におけるトレーの引き落とし装置の構成の概略を示す正面図である。
【図２】同じくトレーの引き落とし装置の構成の概略を示す側面図である。
【図３】同じく引き落とし機構部・支持機構部の構成を示す拡大した一部切欠側面図である。
【図４】同じく引き落とし機構部・支持機構部の構成を示す一部切欠斜視図である。
【図５】同じく引き落とし機構部・支持機構部の使用・動作を説明するもので、（ａ）は、ホッパー部内の最下部のトレーを引き落とす前の状態の一部切欠断面図、（ｂ）は、ホッパー部内の最下部のトレーを引き落とし機構部を介して引き落とした状態の一部切欠断面図、（ｃ）はトレーの引き落とし後に引き落とし機構部を復帰させた状態の一部切欠断面図である。
【符号の説明】
【００１９】
Ｐ    トレー
１    ホッパー部
２    間隔調整ハンドル
３    ガイド枠
４    ガイド棒
５    ブラケット
６    ネジ棒
７    ネジ孔
１１  引き落とし機構部
１２  支持枠体
１３  凹所
１４  爪部
１５  引き抜き部
１６  回転軸
２１  支持機構部
２２  支持枠体
２３  電磁クラッチ機構部
【図１】
2008230682.tif 000003
【図２】
2008230682.tif 000004
【図３】
2008230682.tif 000005
【図４】
2008230682.tif 000006
【図５】
2008230682.tif 000007